(57)【要約】      （修正有）【課題】装着中の回転を抑制し、装身用チェーンが脱落することを低減できる装身用連結具および装身用チェーンを提供する。【解決手段】繋ぎ目５１、６１からチェーン本体２の端部２１、２２と留め具３、４の開口部３５、４２とを挿通した後に繋ぎ目５１、６１を閉じて、チェーン本体２と留め具３、４とを連結する装身用連結具５、６であって、縦長の環形状をしており、環形状における長手方向の中央に繋ぎ目が位置していることを特徴とする。【選択図】図２
0003206331.tif 000002
【実用新案登録請求の範囲】
【請求項１】
繋ぎ目からチェーン本体の端部と留め具の開口部とを挿通した後に前記繋ぎ目を閉じて、前記チェーン本体と前記留め具とを連結する装身用連結具であって、
縦長の環形状をしており、前記環形状における長手方向の略中央に前記繋ぎ目が位置していることを特徴とする装身用連結具。
【請求項２】
前記縦長の環形状は、楕円環形状であることを特徴とする請求項１に記載の装身用連結具。
【請求項３】
前記留め具は、係止具と前記係止具に係止される係止受具であり、
請求項１又は２に記載の前記装身用連結具で、前記係止具の開口部と前記チェーン本体の一端、および前記係止受具の開口部と前記チェーン本体の他端、との少なくともいずれかを連結していることを特徴とする装身用チェーン。
【考案の詳細な説明】
【技術分野】
【０００１】
本考案は、装身用チェーンの脱落を低減させる装身用連結具および装身用チェーンに関する。
【背景技術】
【０００２】
従来からネックレスやブレスレットなどの装身用チェーン（以下、装身用チェーンと言う。）（不図示）におけるチェーン本体（不図示）を繋ぐために留め具が用いられている。この留め具としては、例えば、鎖１３９の一端に取付られた引輪１４０を、鎖１３９の他端に取付られたリング（不図示）に係止させることで、鎖１３９の両端を繋ぐものがある（従来例１）。
【０００３】
より具体的には、従来例１の引輪１４０は、図４に示すように、一部が切り欠かれたリング状のパイプ１３５a内に、円弧状の中芯部１３７を摺動させて、切り欠かれた空隙を開閉させることで、リングに対して係脱自在としたものである。
【０００４】
他にも留め具としては、特許文献１（従来例２）に示すような引輪金具１００がある。従来例２の引輪金具１００は、図５に示すように、切欠き部１１０が設けられた環状の円環１５０内を移動する中芯部１８０に取っ手部１７０が形成され、従来例１の引輪１４０の操作性を向上させたものである。
【先行技術文献】
【特許文献】
【０００５】
【特許文献１】実用新案登録第３１１２３６８号
【考案の概要】
【考案が解決しようとする課題】
【０００６】
しかし、従来例１の引輪１４０では、基端側のＵ字環１３３と鎖１３９とを連結するための丸環１４１が装着中に回り、丸環１４１の繋ぎ目（不図示）から鎖１３９が脱落する問題があった。また、従来例２の引輪金具１００においても、基端側のＵ字環１３０と紐状体１２５とを連結する環１２７（丸環）が回り、従来例１と同様に、装着中に環１２７の繋ぎ目（不図示）から紐状体１２５が脱落する問題があった。
【０００７】
本考案は、上述した事情に鑑みてなされるものであって、縦長の環形状における長手方向の略中央に繋ぎ目を位置させることで、装着中の回転を抑制し、繋ぎ目からチェーン本体が脱落することを防ぎ、装身用チェーンが脱落することを低減させる装身用連結具および装身用チェーンを提供することを目的とする。
【課題を解決するための手段】
【０００８】
上記課題を解決するためになされた請求項１に記載の考案は、繋ぎ目からチェーン本体の端部と留め具の開口部とを挿通した後に前記繋ぎ目を閉じて、前記チェーン本体と前記留め具とを連結する装身用連結具であって、縦長の環形状をしており、前記環形状における長手方向の略中央に前記繋ぎ目が位置していることを特徴とする。
【０００９】
請求項１に記載の考案によれば、縦長の環形状における長手方向の略中央に繋ぎ目を位置させることで、装着中の回転を抑制し、繋ぎ目からチェーン本体が脱落することを防ぎ、装身用チェーンが脱落することを低減させることができる。
【００１０】
請求項２に記載の考案は、請求項１に記載された装身用連結具であって、前記縦長の環形状は、楕円環形状であることを特徴とする。
【００１１】
請求項２に記載の考案によれば、装身用連結具自体を楕円環形状に形成することで、極めて簡略化した構成で、繋ぎ目からチェーン本体が脱落することを防止することができる。
【００１２】
請求項３に記載の考案は、前記留め具は、係止具と前記係止具に係止される係止受具であり、請求項１又は２に記載の前記装身用連結具で、前記係止具の開口部と前記チェーン本体の一端、および前記係止受具と前記チェーン本体の他端、との少なくともいずれかを連結していることを特徴とする。
【００１３】
請求項３に記載の考案によれば、係止具とチェーン本体または係止受具とチェーン本体とを、縦長の環形状又は楕円環形状をした装身用連結具で連結することで、装身用連結具における繋ぎ目からチェーン本体が脱落することを低減させることができる。
【考案の効果】
【００１４】
本考案によれば、縦長の環形状における長手方向の略中央に繋ぎ目を位置させることで、装着中の回転を抑制し、繋ぎ目からチェーン本体が脱落することを防ぎ、装身用チェーンが脱落することを低減させる装身用連結具および装身用チェーンを提供することができる。
【図面の簡単な説明】
【００１５】
【図１】第１実施例の装身用チェーンを示す斜視図である。
【図２】図１のＡ部を拡大した拡大図である。
【図３】図１の装身用連結具を示す斜視図である。
【図４】従来例１の引輪を示す平面図である。
【図５】従来例２の引輪金具を示す概略図である。
【考案を実施するための形態】
【００１６】
以下、本考案を図面に示す実施例に基づいて説明する。
（第１実施例）
本考案の装身用チェーン１に関して、図１乃至３を用いて説明する。
図１は、第１実施例の装身用チェーン１を示す斜視図であり、図２は、図１のＡ部を拡大した拡大図であり、図３は、図１の装身用連結具を示す斜視図である。
【００１７】
図１に示すように、引用符号１は、本実施例の装身用チェーン１である。装身用チェーン１は、鎖状または紐状のチェーン本体２と、チェーン本体２の一端２１側に取付けられた係止具３（留め具）と、チェーン本体２の他端２２側に取付けられ、係止具３により係脱自在に係止される係止受具４（留め具）と、チェーン本体２の一端２１（端部）と係止具３とを連結する第１装身用連結具５（装身用連結具）と、チェーン本体２の他端２２（端部）と係止受具４とを連結する第２装身用連結具６（装身用連結具）と、を備える。
【００１８】
装身用チェーン１は、図１および２に示すように、チェーン構成部材２３を一続きに多数連ねたものである。チェーン構成部材２３は、例えば、金を主成分として銀、銅を配合したＫ１８金合金、Ｋ１４金合金、Ｋ１０金合金などの金合金（以下、金合金という。）、プラチナを主成分とするプラチナ１０００（プラチナ含有率約１００重量％）、プラチナ９００（プラチナ含有率約９０重量％）、プラチナ８５０（プラチナ含有率約８５重量％）などのプラチナ合金（以下、プラチナ合金という。）、または銀を主成分とする銀９００（銀含有率約９０重量％）、銀９２５（銀含有率約９２．５重量％）、銀９５０（銀含有率約９５重量％）などの銀合金（以下、銀合金という。）からなり、例えば喜平型やあずき型などのリング状をしたものである。
【００１９】
係止具３は、図１および２に示すように、例えば、金合金、プラチナ合金、または銀合金などからなる引輪である。係止具３は、先端側を切欠いた切欠き部３２が形成された環状の円環部３１と、円環部３１内を移動し、切欠き部３２を開閉する中芯部３３とを有する。
【００２０】
円環部３１は、図２に示すように、側面には周方向へ延びるスリット溝３４が形成されており、基端側には、第１装身用連結具５と連結するＵ字環３５（開口部）が形成されている。
【００２１】
中芯部３３は、図２に示すように、スリット溝３４内を移動する取っ手部３６が形成されている。中芯部３３は、切欠き部３２を塞ぐように、基端側がコイルばね（不図示）により付勢されている。
【００２２】
係止受具４は、図１および２に示すように、例えば金合金、プラチナ合金、または銀合金で形成されており、薄板状をしたものである。係止受具４の先端側には、円環部３１が係止する係止孔４１が形成されており、係止受具４の基端側には、第２装身用連結具６が連結する連結孔４２（開口部）が形成されている。
【００２３】
第１装身用連結具５および第２装身用連結具６は、図２および３に示すように、例えば金合金、プラチナ合金、または銀合金などで形成されており、棒状部材を楕円環形状に折り曲げたものである。折り曲げられた棒状部材は、一端と他端とが、長手方向の中央で対向するように形成されている。すなわち、第１装身用連結具５および第２装身用連結具６には、楕円環形状の長手方向における中央に繋ぎ目５１、６１が形成されている。
【００２４】
第１装身用連結具５は、図３に示すように、繋ぎ目５１からチェーン本体２の一端２１とＵ字環３５を挿通した後、この繋ぎ目５１を閉じて、チェーン本体２と係止具３との連結を行う。同様に、第２装身用連結具６も、繋ぎ目６１からチェーン本体２の他端２２と連結孔４２を挿通した後に、この繋ぎ目６１を閉じて、チェーン本体２と係止受具４の連結を行う。
【００２５】
本実施例の装身用チェーン１は、単に、繋ぎ目５１からチェーン本体２の一端２１とＵ字環３５を挿通した後に、繋ぎ目５１を閉じること、又は繋ぎ目６１からチェーン本体２の他端２２と連結孔４２を挿通した後に、繋ぎ目６１を閉じること、だけで、簡単にチェーン本体２と係止具３の連結又はチェーン本体２と係止受具４を連結することができる。すなわち、本実施例の装身用チェーン１は、チェーン本体２と係止具３の連結およびチェーン本体２と係止受具４の連結に、特にロー付けなどの溶接を行わないため、熟練工のような高度な技術を有する作業員でなくても、簡単に作業を行うことができる。
【００２６】
また、本実施例の装身用チェーン１は、繋ぎ目５１、６１を閉じるために溶接などを行わないため、仮に装身用チェーン１が装着中に引っ張られた場合においては、繋ぎ目５１、６１が開いて、係止具３や係止受具４からチェーン本体２が脱落して、チェーン本体２で装着者が怪我することなども防ぐことができる。
【００２７】
＜揺さぶり試験＞
出願人は、本実施例の装身用チェーン１は、係止具３または係止受具４からチェーン本体２が脱落することを低減させる効果があることを確認するために、次の揺さぶり試験を行った。
【００２８】
揺さぶり試験は、本実施例の第２装身用連結具６でチェーン本体２の他端２２と係止受具４の連結孔４２とを連結したもの（以下、実施例と言う。）と、丸環（不図示）でチェーン本体（不図示）の他端と係止受具（不図示）の連結孔（不図示）とを連結したもの（以下、比較例と言う。）とを、上下へ数回揺さぶるものとした。この揺さぶりは、チェーン本体２の他端２２が係止受具４の上方へ位置する状態とし、揺さぶり中における第２装身用連結具６および丸環の状態の確認と、係止受具４がチェーン本体２から脱落したか否かを確認した。
【００２９】
また、実施例の第２装身用連結具６は、線径０．５ｍｍ、外形２．０ｍｍ×２．６ｍｍの楕円環とし、繋ぎ目６１を０．８ｍｍとした。比較例の丸環は、線径０．５ｍｍ、外形２．３ｍｍ×２．３ｍｍの丸環とし、繋ぎ目６１を０．８ｍｍとした。実施例および比較例におけるチェーン本体２および係止受具４はともに同じ構成とし、係止受具４の厚さは、第２装身用連結具６や丸環の繋ぎ目６１（０．８ｍｍ）よりも薄い０．４ｍｍとした。このようにして得た結果を表１に示す。
【００３０】
表１  揺さぶり試験の試験結果
0003206331.tif 000003
【００３１】
表１に示すように、揺さぶり試験の試験中において実施例の第２装身用連結具６は、特に回転せず、上下にチェーン本体２を揺すっても係止受具４が脱落することはなかった。これに対して、比較例の丸環は、上下へのチェーン本体の揺さぶりに伴って回転して、１、２回揺さぶると、繋ぎ目から係止受具が外れ、係止受具が脱落した。
【００３２】
この結果より、実施例の第２装身用連結具６は、チェーン本体２が上下へ揺れても、楕円環形状により回転を抑制するとともに繋ぎ目６１が長手方向の中央に位置していることで、繋ぎ目６１から係止受具４が外れることがないことを確認することができた。
【００３３】
すなわち、本実施例の第１装身用連結具５および第２装身用連結具６は、楕円環形状とするとともに繋ぎ目５１、６１を楕円環形状における長手方向の中央に位置させることで、装着中にチェーン本体２が揺れても、回転を抑制し、繋ぎ目５１、６１から係止受具４や係止具３の脱落を防ぐことを確認することができた。
【００３４】
また、本実施例の第１装身用連結具５および第２装身用連結具６は、楕円環形状とし、この楕円環形状の長手方向中央に繋ぎ目５１、６１を位置させるだけで装身用チェーン１の脱落を防ぐため、極めて簡単な構成により第１装身用連結具５および第２装身用連結具６の製造コストの低減や軽量化を図ることができる。
【００３５】
さらに、本実施例の第１装身用連結具５および第２装身用連結具６は、特に、チェーン本体２と係止具３の連結およびチェーン本体２と係止受具４の連結に、ロー付けなどの溶接を行わないため、第１装身用連結具５および第２装身用連結具６の強度を予め把握することで、第１装身用連結具５および第２装身用連結具６が破断して装身用チェーン１が脱落した際にどの程度の力が加わったのかも容易に把握することができる。
【００３６】
（他の実施例）
上記実施例において、第１装身用連結具５および第２装身用連結具６を楕円環として説明したが、特にこれに限られるものではなく、縦長の環形状とし、環形状における長手方向の中央に繋ぎ目５１、６１を位置させるようにしても良い。
【００３７】
上記実施例において、チェーン本体２の一端２１と係止具３のＵ字環３５との連結を第１装身用連結具５で行い、かつチェーン本体２の他端２２と係止受具４の連結孔４２との連結を第２装身用連結具６で行うものとして説明したが、特にこれに限られるものではなく、チェーン本体２の一端２１と係止具３のＵ字環３５、およびチェーン本体２の他端２２と係止受具４の連結孔４２、の少なくともいずれかに第１装身用連結具５または第２装身用連結具６が用いられていれば良い。
【００３８】
また、上記実施例において留め具として、チェーン本体２の一端２１側に取付けられた係止具３とチェーン本体２の他端２２側に取付けられた係止受具４とからなるものとして説明したが、特にこれに限られるものではなく、チェーン本体２の一端２１と他端２２とを着脱自在に留めることができる留め具であれば、特にこれに限られるものではない。
【００３９】
さらに、上記実施例において、繋ぎ目５１、６１を第１装身用連結具５および第２装身用連結具６における長手方向の中央に位置するものとして説明したが、特にこれに限られるものではなく、繋ぎ目５１、６１を第１装身用連結具５および第２装身用連結具６における長手方向の略中央に位置させるものとしても良い。
【００４０】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００４１】
１…装身用チェーン
２…チェーン本体
２１…一端（端部）    ２２…他端（端部）    ２３…チェーン構成部材
３…係止具（留め具）
３１…円環部    ３２…切欠き部    ３３…中芯部    ３４…スリット溝    ３５…Ｕ字環（開口部）    ３６…取っ手部
４…係止受具（留め具）
４１…係止孔    ４２…連結孔（開口部）
５…第１装身用連結具（装身用連結具）
５１…繋ぎ目
６…第２装身用連結具（装身用連結具）
６１…繋ぎ目
【図１】
0003206331.tif 000004
【図２】
0003206331.tif 000005
【図３】
0003206331.tif 000006
【図４】
0003206331.tif 000007
【図５】
0003206331.tif 000008